(57)【要約】【課題】四足動物の顔又は頭部の周囲にわたって輪状のバンパー片を突出させ、壁等の障害物に当該バンパー片が当たった際に、輪の円形が変形ことによって衝撃を吸収可能な四足動物用バンパー。【解決手段】犬Ｇに着せるベスト型ハーネスＨの首開口部Ｈ１の背中側に、背中の長手方向に対して略直角に棒状の基材１を固定し、当該基材１の、前記犬Ｇの首部の両側に位置する箇所から前記犬Ｇの顔又は頭部の脇及び前方を囲むように輪状の弾性変形可能な材質から成るバンパー片５を突出させ、当該バンパー片５の両端部を前記基材１に直接又は間接に固定した。【選択図】        図１
0003216435.tif 000002
【実用新案登録請求の範囲】
【請求項１】
四足動物に着せるベスト型ハーネスの首開口部の周縁に１個又は複数個の基材を固定し、
当該基材から前記四足動物の顔又は頭部の脇及び前方を囲むように輪状の弾性変形可能な材質から成るバンパー片を突出させ、
当該バンパー片の両端部を前記基材に直接又は間接に固定したことを特徴とする、視力の弱い四足動物用バンパー。
【請求項２】
四足動物に着せるベスト型ハーネスの首開口部の背中側に、背中の長手方向に対して略直角に棒状の基材を固定し、
当該基材の、前記四足動物の首部の両側に位置する箇所から前記四足動物の顔又は頭部の脇及び前方を囲むように輪状の弾性変形可能な材質から成るバンパー片を突出させ、
当該バンパー片の両端部を前記基材に直接又は間接に固定したことを特徴とする、視力の弱い四足動物用バンパー。
【請求項３】
四足動物に着せるベスト型ハーネスの首開口部の背中側又は胸部側から両側にまで、前記首開口部の縁に略沿って伸びた棒状の基材を固定し、
当該基材の、前記四足動物の首の両側に位置する箇所から前記四足動物の顔又は頭部の脇及び前方を囲むように輪状の弾性変形可能な材質から成るバンパー片を突出させ、
当該バンパー片の両端部を前記基材に直接又は間接に固定したことを特徴とする、視力の弱い四足動物用バンパー。
【請求項４】
四足動物に着せるベスト型ハーネスの首開口部の胸部側に、前記首開口部の縁に略沿って伸びた棒状の基材を固定し、
当該基材の、前記四足動物の首の両側に位置する箇所から前記四足動物の顔又は頭部の脇及び前方を囲むように輪状の弾性変形可能な材質から成るバンパー片を突出させ、
当該バンパー片の両端部を前記基材に直接又は間接に固定したことを特徴とする、視力の弱い四足動物用バンパー。
【請求項５】
前記基材が帯状体を扁平に折り曲げて両端を相互に接続して形成した、中央部が中空なフレームから成り、当該基材の外側に前記バンパー片の両端部を直接又は間接に固定したことを特徴とする、請求項１〜４のいずれかに記載の視力の弱い四足動物用バンパー。
【請求項６】
前記バンパー片の両端部は、前記基材の両端部で回転、固定自在にネジで接続され、当該ネジの締付け、緩めによって前記基材に対する前記バンパー片の角度を任意な角度に曲げて固定できる構成としたことを特徴とする、請求項１〜５のいずれかに記載の視力の弱い四足動物用バンパー。
【請求項７】
前記バンパー片の両端部が、基材に設けた２本の平行な支持材の先端に回転、固定自在に接続され、前記バンパー片の両端は円形を成し、当該各円形端部の中央孔から放射状に複数の長孔を、前記中央孔と一体に設け、前記両側の支持材の先端部の外側面から外方略直角に突出する突出軸を設けて、当該各突出軸は前記各円形端部の中央孔及び長孔のいずれかの箇所に挿入されており、当該各長孔の反対側の前記各円形端部の周縁に、当該各円形端部の前記中心孔に向かう係止切欠きを前記長孔に対向して夫々設け、前記各円形端部に対向する前記支持材の位置に前記各係止切欠きに挿入自在な係止突起を設け、前記バンバー片の各円形端部が前記各支持材の前記係止突起側に常時付勢される付勢手段を設け、前記放射状の長孔のいずれかに前記突出軸が入ることにより前記バンパー片の支持材に対する角度を調整して固定できる構成としたことを特徴とする、請求項１〜５のいずれかに記載の四足動物用バンパー。
【考案の詳細な説明】
【技術分野】
【０００１】
この考案は、視力の弱った四足動物、例えば、犬、猫の頭部を保護するため、四足動物に装着して顔又は頭部から前方に突き出し、四足動物が障害物に当たった際の衝撃を吸収する緩衝用のバンパーに関するものである。
【背景技術】
【０００２】
犬の白内障、緑内障、進行性網膜委縮症などの眼病は、犬の疾患の中でも４位を占めるほど多い。言葉で症状を伝えられず、元来近視で情報受信を臭覚に頼っている犬なので、飼い主が愛犬の目の異常に気付かず、発見が遅れてしまい愛犬が失明に至ってしまうケースが多い。
【０００３】
犬の視力が弱まったり、犬が視力を失ってしまうと犬が動いた際、犬の顔や頭部の高さにある家具や荷物等の障害物に犬がぶつかり、犬の体、特に頭部を傷つけてしまうおそれがある。従って、この様な犬は次第に散歩や遊びで動くことが減ってしまい、体力や筋力の低下を招く。また、ストレスも蓄積される。
【０００４】
そこで、特許文献１に示す様な、失明した犬の杖が開発された。これは、犬の首輪に、塩化ビニール製の杖をビスで固定して、犬の顔の先に杖を突出させ、これにより顔や頭部が家具や壁にぶつかる前に杖がこれらに当たり、犬に痛い思いをさせず、なおかつ杖によりある程度の所在の感覚を覚えさせ、水も飲め、散歩も怖がらず積極的な生活ができようにすることを目的としている。
【先行技術文献】
【特許文献】
【０００５】
【特許文献１】実用新案登録第３０９０４８２号公報
【考案の開示】
【考案が解決しようとする課題】
【０００６】
しかしながら、前記特許文献１のものは、犬の首輪に一端を固定した塩化ビニール製の杖を顔の前方に突出させただけであり、顔の側面が直接壁等にぶつかる
恐れがある。また、杖が合成樹脂製のため折れたりして犬の顔や頭部が壁等の障害物にぶつかる恐れがある。
【０００７】
そこで、この考案はこれらの点に着目し、犬に限らず、四足動物の顔又は頭部の周囲にわたって輪状のバンパー片を突出させ、壁等の障害物に当該バンパー片が当たった際に、輪の円形が変形することによって衝撃を吸収し、四足動物の顔や頭部を確実に保護できるとともに、前記バンパー片を支持するフレーム等の基材を小さくして四足動物が転倒した際、前記フレーム等によって四足動物の体に強い衝撃を与えることがない四足動物用バンパーを提供することを目的としたものである。
【課題を解決するための手段】
【０００８】
請求項１の考案は、四足動物に着せるベスト型ハーネスの首開口部の周縁に１個又は複数個の基材を固定し、当該基材から前記四足動物の顔又は頭部の脇及び前方を囲むように輪状の弾性変形可能な材質から成るバンパー片を突出させ、当該バンパー片の両端部を前記基材に直接又は間接に固定した、視力の弱い四足動物用バンパーとした。
【０００９】
また、請求項２の考案は、四足動物に着せるベスト型ハーネスの首開口部の背中側に、背中の長手方向に対して略直角に棒状の基材を固定し、当該基材の、前記四足動物の首部の両側に位置する箇所から前記四足動物の顔又は頭部の脇及び前方を囲むように輪状の弾性変形可能な材質から成るバンパー片を突出させ、当該バンパー片の両端部を前記基材に直接又は間接に固定した、視力の弱い四足動物用バンパーとした。
【００１０】
また、請求項３の考案は、四足動物に着せるベスト型ハーネスの首開口部の背中側又は胸部側から両側にまで、前記首開口部の縁に略沿って伸びた棒状の基材を固定し、当該基材の、前記四足動物の首の両側に位置する箇所から前記四足動物の顔又は頭部の脇及び前方を囲むように輪状の弾性変形可能な材質から成るバンパー片を突出させ、当該バンパー片の両端部を前記基材に直接又は間接に固定した、視力の弱い四足動物用バンパーとした。
【００１１】
また、請求項４の考案は、四足動物に着せるベスト型ハーネスの首開口部の胸部側に、前記首開口部の縁に略沿って伸びた棒状の基材を固定し、当該基材の、前記四足動物の首の両側に位置する箇所から前記四足動物の顔又は頭部の脇及び前方を囲むように輪状の弾性変形可能な材質から成るバンパー片を突出させ、当該バンパー片の両端部を前記基材に直接又は間接に固定した、視力の弱い四足動物用バンパーとした。
【００１２】
また、請求項５の考案は、前記基材が帯状体を扁平に折り曲げて両端を相互に接続して形成した、中央部が中空なフレームから成り、当該基材の外側に前記バンパー片の両端部を直接又は間接に固定した、請求項１〜４のいずれかに記載の視力の弱い四足動物用バンパーとした。
【００１３】
また、請求項６の考案は、前記バンパー片の両端部は、前記基材の両端部で回転、固定自在にネジで接続され、当該ネジの締付け、緩めによって前記基材に対する前記バンパー片の角度を任意な角度に曲げて固定できる構成とした、請求項１〜５のいずれかに記載の視力の弱い四足動物用バンパーとした。
【００１４】
また、請求項７の考案は、前記バンパー片の両端部が、基材に設けた２本の平行な支持材の先端に回転、固定自在に接続され、前記バンパー片の両端の各端部は円形を成し、当該各円形端部の中央孔から放射状に複数の長孔を、前記中央孔と一体に設け、前記両側の支持材の先端部の外側面から外方略直角に突出する突出軸を設けて、当該各突出軸は前記各円形端部の中央孔及び長孔のいずれかの箇所に挿入されており、当該各長孔の反対側の前記各円形端部の周縁に、当該各円形端部の前記中心孔に向かう係止切欠きを前記長孔に対向して夫々設け、前記各円形端部に対向する前記支持材の位置に前記各係止切欠きに挿入自在な係止突起を設け、前記バンバー片の各円形端部が前記各支持材の前記係止突起側に常時付勢される付勢手段を設け、前記放射状の長孔のいずれかに前記突出軸が入ることにより前記バンパー片の支持材に対する角度を調整して固定できる構成とした、請求項１〜５のいずれかに記載の四足動物用バンパーとした。
【考案の効果】
【００１５】
請求項１〜４の考案によれば、目の不自由な四足動物、例えば犬に、当該四足動物用バンパーを装着してあげれば、輪状のバンパー片が四足動物の顔の前方、側面を囲むため、犬は自由に歩きまわって、当該犬の頭部や顔が壁や障害物に当たる前に当該バンパー片がこれらの障害物に当たり、その際の衝撃をバンパー片が変形してこれを吸収乃至和らげ、犬に大きな衝撃を与えない。従って、犬は安心して散歩や家の中で走り回ることが出来る。これは犬に限らず、四足の動物であれば同様の効果を奏する。
【００１６】
また、この考案は、特に犬等が通常着用している市販のベスト型ハーネスを用いることが出来るため、着用に際して違和感がなく、容易に馴染むことがでる。しかも、ベスト型ハーネスに設けた基材によりバンパー片を支持しているため、バンパー片を四足動物の背中や胴の脇に固い支持フレームを設けて当該支持フレームに支持させたものと比べ、当該四足動物が転倒したり、障害物に当たった際にも支持フレームが体に当たらず、四足動物に衝撃を与えない。
【００１７】
また、上述の、バンパー片を四足動物の背中や胴の脇に固い支持フレームを設けて当該支持フレームに支持させたものは、当該バンパーを装着していると、真冬などの季節に厚手の洋服を着せた場合、当該洋服により四足動物の寸法が変わってしまい、当該バンパーをその上から装着することが出来ない。しかしながらこの考案ではベスト型ハーネスにバンパー片を支持させているため、ベスト型ハーネスの胸部又は背中等の開口部を係止する面ファスナー等の幅を大きく取れば、厚手の洋服の上から当該バンパーのベスト型ハーネスを装着することが出来る。
【００１８】
また、請求項５の考案によれば、基材にクッション性を持たせ、その外周に前記バンパー片を固定するため、バンパー片が障害物に当たった際の衝撃吸収性がより良いものとなっている。
【００１９】
また、請求項６の考案によれば、前記バンパー片の両端部が前記本体フレームの先端にネジで接続されているため、当該ネジを緩めて、本体フレームに対する前記バンパー片の角度を任意な角度に位置させ、再び前記ネジを締め付ければ、前記バンパー片を任意の角度に固定できる。従って、臭いをかぎながら鼻先を地面に近づけて歩く犬であれば、前記バンパー片の角度を調整してやれば、
この様な犬、その他の四足動物でも障害物から保護できる。
【００２０】
また、請求項７の考案によれば、前記請求項６の考案の効果に加え、バンパー片の角度調整がワンタッチで行え、より便利である。
【図面の簡単な説明】
【００２１】
【図１】この考案の実施の形態例１の四足動物用バンパーＡを犬に装着した状態の斜視図である。
【図２】この考案の実施の形態例１の四足動物用バンパーＡの平面展開図である。
【図３】この考案の実施の形態例１の四足動物用バンパーＡの側面図である。
【図４】この考案の実施の形態例１の四足動物用バンパーＡの基材と支持材とを示す分解斜視図である。
【図５】この考案の実施の形態例１の四足動物用バンパーＡの他の基材と支持材を示す分解斜視図である。
【図６】この考案の実施の形態例２の四足動物用バンパーＢの斜視図である。
【図７】この考案の実施の形態例３の四足動物用バンパーＣを犬に装着した状態の斜視図である。
【図８】この考案の実施の形態例３の四足動物用バンパーＣの側面図である。
【図９】この考案の実施の形態例３の四足動物用バンパーＣの基材と支持材とを示す斜視図である。
【図１０】この考案の実施の形態例３の四足動物用バンパーＣの基材と支持材及びバンパー片の構成を示す平面図である。
【図１１】この考案の実施の形態例３の四足動物用バンパーＣの他の基材と支持材とを示す斜視図である。
【図１２】この考案の実施の形態例３の四足動物用バンパーＣのバンパー片の角度を変えて犬に装着した状態の斜視図である。
【図１３】この考案の実施の形態例４の四足動物用バンパーＤを犬に装着した状態の斜視図である。
【図１４】この考案の実施の形態例４の四足動物用バンパーＤの側面図である。
【図１５】この考案の実施の形態例４の四足動物用バンパーＤの基材と支持材とを示す斜視図である。
【図１６】この考案の実施の形態例４の四足動物用バンパーＤの基材と支持材及びバンパー片の構成を示す平面図である。
【図１７】この考案の実施の形態例４の四足動物用バンパーＤの他の基材と支持材とを示す斜視図である。
【図１８】この考案の実施の形態例４の四足動物用バンパーＤの他の基材と支持材及びバンパー片の構成を示す平面図である。
【図１９】この考案の実施の形態例５の四足動物用バンパーＥのバンパー片を支持材に対してまっすぐに伸ばした状態の要部斜視図である。
【図２０】この考案の実施の形態例５の四足動物用バンパーＥの支持材に対してバンパー片を引っ張った状態の要部斜視図である。
【図２１】この考案の実施の形態例５の四足動物用バンパーＥの支持材に対してバンパー片を引っ張った状態でバンパー片を回転させた要部斜視図である。
【図２２】この考案の実施の形態例５の四足動物用バンパーＥのバンパー片を支持材に対して傾けた状態の斜視図である。
【図２３】この考案の実施の形態例５の四足動物用バンパーＥのバンパー片の支持材に対する回転、固定の原理構成を示す説明図である。
【考案を実施するための形態】
【００２２】
（実施の形態例１）
この考案の実施の形態例１の四足動物用バンパーＡを図１〜６に基づいて説明する。
【００２３】
犬Ｇに着せるベスト型ハーネス（胴輪）Ｈの首開口部Ｈ１の端縁の背中に相応する位置に、棒状の基材１を前記略端縁に沿って固定して設ける。当該基材１は犬Ｇの背中の長手方向に対して略直角に位置するように設けており、かつ、図４に示す様に、前記ベスト型ハーネスＨの首開口部Ｈ１の湾曲形状に合わせて、湾曲下面１ａを有している。また、当該基材１は、図２及び図３の点線で示すように、中央部側面からＴ字型を成すように補助腕１ｂを設けてもよい。
【００２４】
また、前記基材１の上面両側には間隔を開けて突出片２、２を設け、当該各突出片２の外側面に支持材３の基端部を当接固定して２本の支持材３、３を前方に夫々突出させ、当該各支持材３の先端から、犬Ｇの首の両側を通って犬Ｇの顔又は頭部の脇及び前方を囲む輪状のバンパー片５を突出させ、当該バンパー片５の両端を、前記各支持材３の先端で、ボルト軸４ａとつまみ付ナット４ｂにより回転、固定自在に接続している。また、前記バンパー片５は弾性変形可能な材質から成る。
【００２５】
前記各支持材３は、図２及び図４に示すように、先端が二股状の枝材３ａになっている。そして、当該二股状の枝材３ａに前記バンパー片５の両端の、相互に平行な端部５ａを挿入し、これらを貫通するボルト軸４ａを二股状の枝材３ａの外側に突出させ、当該突出したボルト軸４ａにつまみ付ナット４ｂを螺着させ、当該つまみ付ナット４ｂの締付け、ゆるみにより固定、回転可能としている。従って、当該四足動物用バンパーＡを装着する犬Ｇの大きさや形状に合わせて、各支持材３に対するバンパー片５の傾斜角度を調整することができる。
【００２６】
また、前記ベスト型ハーネスＨは市販のものと同じであり、図２に示す様な展開平面を有しており、帯状本体Ｈ２の左右両側には犬Ｇの前足の入る前足用穴Ｈ３が夫々設けられ、さらに、帯状本体Ｈ２の左右両側の開口端縁を重ねて、接合できるように、面ファスナーＨ４が夫々設けられている。従って、犬Ｇに当該ベスト型ハーネスＨを着せた場合、犬Ｇの胸の上で帯状本体Ｈ２の左右両側の開口端縁を重ねて面ファスナーＨ４で接合する構成となっている。
【００２７】
図５は、前記基材１の変形であり、全体が湾曲した板体から成る基材１Ａから成り、その上部に間隔を開けて前記突出片２、２を立設している。他の構成は全て前記の構成と同じである。従って、前記基材１Ａを前記ベスト型ハーネスＨの首開口部Ｈ１の略端縁に沿って固定して設けるものである。
【００２８】
これにより、四足動物用バンパーＡを装着した犬Ｇは、輪状のバンパー片５が犬Ｇの顔又は頭部を囲んで突出する。従って、犬Ｇが歩いたりして動いて電柱や家具等の障害物に当たった際、前記バンパー片５がこれらに当たって、バンパー片５の弾性変形で衝撃を吸収し、犬Ｇは直接的な衝撃を受けない。かつ障害物から犬Ｇが離れれば、バンパー片５は弾性により元の形に戻る。
（実施の形態例２）
また、図６に示すものは、この考案の実施の形態例２の四足動物用バンパーＢを示すものである。
【００２９】
当該四足動物用バンパーＢは、前記基材１を変形したものであり、板材を上片、下片及び左右側片を形成するように折り曲げた中空のフレームから成る基材１Ｂとしている。そして基材１Ｂの両側片に、犬Ｇの首の両側を通って犬Ｇの顔又は頭部の脇及び前方を囲む輪状のバンパー片５の両端の、相互に平行な端部５ａ、５ａを重ねて、ネジ止めしている。当該バンパー片５は実施の形態例１と同様な材質から成り、上記基材１Ｂを前記実施の形態例１と同様のベスト型ハーネスＨの首開口部Ｈ１に沿って取付けたものである。従って、この実施の形態例２では、突出片２や支持材３を用いず、バンパー片５を直接基材１Ｂに取付けたものである。  
【００３０】
これにより、当該四足動物用バンパーＢを装着した犬Ｇは、輪状のバンパー片５が犬Ｇの顔又は頭部を囲んで突出する。従って、犬Ｇが歩いたりして動いて電柱や家具等の障害物に当たった際、前記バンパー片５がこれらに当たって、バンパー片５の弾性変形で衝撃を吸収し、犬Ｇは直接的な衝撃を受けない。
【００３１】
かつ障害物から犬Ｇが離れれば、バンパー片５は弾性により元の形に戻る。また、当該四足動物用バンパーＢの場合は、基材１Ｂが上片と下片とが間隔を開けた二重構造となっているため、クッション性を有し、当該基材１Ｂに支持されたバンパー片５も衝撃の吸収がより良い。
【００３２】
（実施の形態例３）
この考案の実施の形態例３の四足動物用バンパーＣに関して図７〜図１２に基づいて説明する。
【００３３】
この実施の形態例３の四足動物用バンパーＣは、犬Ｇに着せるベスト型ハーネス（胴輪）Ｈの首開口部Ｈ１の端縁の背中位置からその両側に、湾曲した略逆Ｕ字型の基材６を前記略端縁に沿って固定して設ける。当該基材１は犬Ｇの背中の長手方向に対して略直角に位置している。また、当該基材６は、図８の点線で示すように、中央部側面からＴ字型を成すように補助腕６ａを設けてもよい。
【００３４】
この基材６の両側下端部から、図９に示すように、基材６に対して略直角に支持材７、７を夫々突設し、当該各支持材７は先端を二股状の枝部７ａとしている。また、図１０に示すように、当該各枝部７ａに前記実施の形態例１と同様なバンパー片５の両端の、相互に平行な端部５ａを前記各枝部７ａに挿入し、ボルト軸４ａとつまみ付ナット４ｂとで回転、固定自在に接続している。
【００３５】
また、図１１に示すように、基材６Ａを、前記とは逆にＵ字型にし、当該基材６Ａの両側上端部から基材６Ａに対して略直角に支持材７、７を夫々突設し、各支持材７の先端の二股状の枝部７ａにバンパー片５の両端の端部５ａを挿入し、ボルト軸４ａとつまみ付ナット４ｂとで回転、固定自在に接続してもよい。この基材６Ａは前記ベスト型ハーネスＨの首開口部Ｈ１の首下の位置に取付ける。従って、ベスト型ハーネスＨは、犬Ｇの背中部分に相応する箇所が開口縁となっており、背中部分で両側の開口端縁を重ね合わせて面ファスナー等で止めるものである。
【００３６】
そして、当該実施の形態例３の四足動物用バンパーＣは、図７に示す様に、犬Ｇの首の両側からバンパー片５が突出し、犬Ｇの顔又は頭部の脇及び前方を囲むように形成されている。また、この四足動物用バンパーＣも、図１２に示すように、バンパー片５の支持材７に対する角度を、前記つまみ付ナット４ｂを用いて調整することにより、前記バンパー片５を犬Ｇに合った位置にすることが出来る。勿論、パンパー片５の支持材７に対する角度調整は、前記実施の形態例１及び２においても可能である。
【００３７】
（実施の形態例４）
この考案の実施の形態例４の四足動物用バンパーＤに関して図１３〜図１８に基づいて説明する。
【００３８】
この実施の形態例４の四足動物用バンパーＤは、犬Ｇに着せるベスト型ハーネス（胴輪）Ｈの首開口部Ｈ１の端縁の首下の位置に、下方に凸湾曲した弧状の基材８を前記端縁に沿って固定して設ける。また、当該基材８は、図１４の点線で示すように、中央部側面から犬Ｇの腹部に向けてＴ字型を成すように補助腕８ａを設けてもよい。
【００３９】
この基材８の下端部から、図１５に示すように、間隔を開けて二つの突出片９、９を垂下させ、当該各突出片９の側面に支持材１０、１０の基部を重合して固定し、各支持材１０を夫々基材８の前方に突設させている。当該各支持材１０は先端を二股状の枝部１０ａとしており、図１６に示すように、当該各枝部１０ａに前記実施の形態例１と同様なバンパー片５の両端の、相互に平行な端部５ａを前記各枝部１０ａに挿入し、ボルト軸４ａとつまみ付ナット４ｂとで回転、固定自在に接続している。
【００４０】
そして、当該実施の形態例４の四足動物用バンパーＤは、図１３に示す様に、犬Ｇの首の下部からバンパー片５が突出し、犬Ｇの顔又は頭部の脇及び前方を囲むように形成されている。また、この四足動物用バンパーＤも、図１４に示すように、バンパー片５の支持材１０に対する角度を前記つまみ付ナット４ｂを緩めて調整することにより、前記バンパー片５を犬Ｇに合った位置にすることが出来る。この実施の形態例４の場合のベスト型ハーネスＨも、犬Ｇの背中部分に相応する箇所が開口縁となっており、背中部分で両側の開口端縁を重ね合わせて面ファスナー等で止めるものである。
【００４１】
図１７及び図１８は、当該実施の形態例４の変形を示すもので、基本的には前記の四足動物用バンパーＤと同じものである。これは、前記突出片９、９を設けず、基材８Ａに直接、２つの支持材１０、１０を接続したものであり、基材８Ａは１枚の帯状体を扁平に丸めて、両端を繋げ、間が中空状となったフレームから成る。この基材８Ａは前記実施の形態例２の基材１Ｂと同様な構造となっている。
【００４２】
（実施の形態例５）
この実施の形態例５の四足動物用バンパーＥは、バンパー片５の支持材に対する角度調整構造が、実施の形態例１〜４の四足動物用バンパーＡ、Ｂ、Ｃ及びＤと異なり、ワンタッチで調整可能となっている。他の構成は実施の形態例１の四足動物用バンパーＡ等と同じである。    
【００４３】
図１９は、四足動物用バンパーＥのバンパー片５を支持材３に対してまっすぐに伸ばした状態で接続した状態を示す。前記支持材３の前端部外側に段部を設け、当該段部から水平な係止突起１１が前方に向けて設けられている。また、当該係止突起１１の前方の支持材３の外側面から突出軸１２が外方に向けて水平に設けられている。
【００４４】
一方、バンパー片５の両側端部を夫々円形端部５ｂとし、当該円形端部５ｂに中心孔５ｃを設け、この中心孔５ｃに続いて、放射状に複数の長孔５ｄを中央孔５ｃと一体に設け、当該複数の各長孔５ｄに対向する位置の円形端部５ｂの周縁に、前記中央孔５ｃに向けた係止切欠き５ｅが設けられている。
【００４５】
そして前記突出軸１２を前記バンパー片５の円形端部５ｂの中央孔５ｃに入れてバンパー片５の円形端部５ｂと支持材３の前端部とを重ね、バンパー片５は支持材３に対して回転自在に接続されている。また、当該バンパー片５の円形端部５ｂを支持材３の後方に常時引っ張る付勢手段、例えばバネ（図示省略）が設けられている。
【００４６】
これにより、図２３の（ａ）図に示す様に、前記突出軸１２を円形端部５ｂの一つの長孔５ｄの前端に移動させ、この長孔５ｄに対向する前記係止切欠き５ｅに支持材３の係止突起１１が嵌り、前記バンパー片５は支持材３に対してまっすぐに伸ばした状態で接続されている。
【００４７】
この状態から、図２０及び図２３の（ｂ）図に示す様に、バンパー片５を、前記付勢手段に抗して、支持材３から引き離すように引っ張り、係止突起１１から円形端部５ｂの係止切欠き５ｅを外し、これにより突起軸１２は長孔５ｄから中央孔５ｃに移動し、バンパー片５を、図２１又は図２３の（ｃ）図に示す様に、回転させる。
【００４８】
この状態でバンパー片５の引っ張りを止めると、前記付勢手段により、前記突起軸１２を他の長孔５ｄに入れ、当該長孔５ｄに対向する係止切欠き５ｅに前記係止突起１１が入り、バンパー片５は傾いた状態で支持材３に接続される。この状態が図２２又は図２３の（ｄ）図の状態である。
【００４９】
上記図１９〜図２３では、バンパー片５の円形端部５ｂには中央孔５ｃと一体な長孔５ｄを２個設けた例を示しているが、長孔５ｄは２個に限らず、３個、４個等増やすことが出来、この様にすると、バンパー片５の角度調整がよりきめ細かく行える。
【００５０】
この様に、この四足動物用バンパーＥの構成では、バンパー片５の支持材３等に対する角度調整をワンタッチで行える。この四足動物用バンパーＥの構成は前記実施の形態例１に限らず、他の実施の形態例においても適用できる。
【００５１】
また、前記の実施の形態例１〜５において、前記基材１、６、８等はベスト型ハーネスＨに対して接着剤で固定してもよく、又はベスト型ハーネスＨの内側面から鋲等を基材１、６、８等に打ちつけ固定してもよい。さらにはホック等で取付け自在としてもよい。また、基材１Ａ及び８Ａは実施の形態例１、４で設けたが、実施の形態例３において基材６を基材１Ａ及び基材８Ａと同様な構成にしてもよい。
【００５２】
また、前記補助腕１ｂ、６ａ、８ａは他の実施の形態例２や実施の形態例４の図１７及び図１８の基材に付けてもよい。その場合、基材１、６、８等のベスト型ハーネスＨへの固定が強固となり、バンパー片５がより安定して基材に支持される。
【００５３】
また、前記実施の形態例１、２、３、４では、一つの基材１、１Ａ、６、８Ａに間隔をあけて２個の支持材３、７、１０又はバンパー片５の両端の端部５ａを支持しているが、これに限らず、間隔を開けて２個の基材をベスト型ハーネスＨの首開口部Ｈ１の周縁に夫々設け、各基材に１個の支持材又はバンパー片の各端部５ａを取付けてもよい。
【００５４】
また、前記実施の形態例１、２、３，４では基材１、６、８に支持材３、７、１０を取付け、当該支持材３、７、１０にバンパー片５を取付けているが、実施の形態例２においては基材１Ａに直接バンパー片５を取付けており、この考案では、基材に直接又は他の部材を介してバンパー片を取付ける構成を含むものである。
【符号の説明】
【００５５】
Ａ      四足動物用バンパー          Ｂ      四足動物用バンパー
Ｃ      四足動物用バンパー          Ｄ      四足動物用バンパー  
Ｅ      四足動物用バンパー
Ｇ      犬                          Ｈ      ベスト型ハーネス
Ｈ１    首開口部                    Ｈ２    帯状本体
Ｈ３    前足用穴                    Ｈ４    面ファスナー
１      基材                        １ａ    湾曲下面  
１ｂ    補助腕                      １Ａ    基材                        
１Ｂ    基材                        ２      突出片  
３      支持材                      ３ａ    枝部    
４ａ    ボルト軸                    ４ｂ    つまみ付ナット
５      バンパー片                  ５ａ    平行端部
５ｂ    円形端部                    ５ｃ    中央孔
５ｄ    長孔                        ５ｅ    係止切欠き
６      基材                        ６ａ    補助腕
７      支持材                      ７ａ    枝部
８      基材                        ８ａ    補助腕
８Ａ    基材                        ９      突出片      
１０    支持材                      １０ａ  枝部  
１１    係止突起                    １２    突起軸                    
【図１】
0003216435.tif 000003
【図２】
0003216435.tif 000004
【図３】
0003216435.tif 000005
【図４】
0003216435.tif 000006
【図５】
0003216435.tif 000007
【図６】
0003216435.tif 000008
【図７】
0003216435.tif 000009
【図８】
0003216435.tif 000010
【図９】
0003216435.tif 000011
【図１０】
0003216435.tif 000012
【図１１】
0003216435.tif 000013
【図１２】
0003216435.tif 000014
【図１３】
0003216435.tif 000015
【図１４】
0003216435.tif 000016
【図１５】
0003216435.tif 000017
【図１６】
0003216435.tif 000018
【図１７】
0003216435.tif 000019
【図１８】
0003216435.tif 000020
【図１９】
0003216435.tif 000021
【図２０】
0003216435.tif 000022
【図２１】
0003216435.tif 000023
【図２２】
0003216435.tif 000024
【図２３】
0003216435.tif 000025